(57)【要約】      （修正有）【課題】単独でトラクタの車体後部に取り付けることができ、トラクタの走行によりコンクリート畦際の土を耕すことができるコンクリート畦際残土処理農具を提供する。【解決手段】四角形の枠を構成する鉄骨の対角線上に枠用バネ２１を付け、各枠の交点を回転自在とし、略平行四辺形とした鉄骨の前枠をトラクタ７の進行方向に対し略垂直に、トラクタに取り付け、相対する後枠の左右いずれかの端の外側下方に、耕土鋤４を付け、耕土鋤を土中に入れ、トラクタの走行による土の耕土鋤への抵抗力で、四角形の枠を構成する鉄骨の対角線上のバネが伸びて、略四角形となり、トラクタ車幅より外側に耕土鋤が突出して、コンクリート畦際の土を耕すことができる。【選択図】図３
0003160996.tif 000002
【実用新案登録請求の範囲】
【請求項１】
トラクタの車体後部に取り付け、トラクタの取付支持部で上下運動ができるコンクリート畦際の土を耕すコンクリート畦際残土処理農具であって、四角形の枠を構成する鉄骨の対角線上に枠用バネを付け、各枠の交点を回転自在とし、枠用バネにより、略平行四辺形とした鉄骨の前枠をトラクタの進行方向に対し略垂直にトラクタに取り付け、相対する後枠の左右いずれかの端の外側下方に、耕土鋤を付け、トラクタの取付支持部を下げて、耕土鋤を土中に入れ、トラクタの走行による土の耕土鋤への抵抗力で、四角形の枠を構成する鉄骨の対角線上のバネが伸びて、略長方形となり、トラクタ車幅より外側に耕土鋤が突出し、コンクリート畦際の土を耕し、トラクタの取付支持部を上げて、枠用バネにより略平行四辺形の枠となってトラクタの回転運動を容易にするコンクリート畦際残土処理農具。
【請求項２】
トラクタの車体後部に取り付け、トラクタの取付支持部で上下運動ができるコンクリート畦際の土を耕すコンクリート畦際残土処理農具であって、四角形の枠を構成する鉄骨に支柱を立てて、同じ四角形の枠の鉄骨をその上に平行に重ね、上部の四角形の前枠又は上部と下部の四角形の前枠をトラクタに取り付け、下部の四角形の後枠の左右いずれかの端の外側下方に、耕土鋤を付けた請求項１のコンクリート畦際残土処理農具。
【請求項３】
耕土鋤に移動制御ローラを付設した請求項１又は請求項２のいずれかのコンクリート畦際残土処理農具。
【請求項４】
耕土鋤の高さを調整する高さ調整冶具を付けた請求項３のコンクリート畦際残土処理農具。
【考案の詳細な説明】
【技術分野】
【０００１】
本考案は、コンクリート畦際の残土を処理する農機具に関する。
【背景技術】
【０００２】
道路際等のコンクリート製の畦を土地の区画として設けている田畑も多い。このコンクリート製の畦際(以下コンクリート畦際とする。)は、耕運機やトラクタでは耕すことが困難である。例えば、トラクタでは車体後部に横接したロータリ軸に多数の鋤刃を有するロータリ軸を付けてトラクタの走行によって耕すようになっているが、ロータリ軸の両端にはこれを支えるブランケットがあり、回転鋤刃はコンクリート畦際までは届いていない。このように、コンクリート畦際の土は耕運機等では、耕すことが困難であるため，その部分は傾斜して、他の土面より高くなり、田んぼに水を張っても、水面から出てしまい、雑草が生える原因となっている。そのため、耕運機等で田畑を耕やす前あるいは耕した後に、コンクリート畦際の土地はシャベル等で耕すが、かなり手間のかかる作業となる。
【０００３】
そのために、コンクリート畦際を耕すあるいは整地する農機具が提案されている。ロータリ耕耘部を支持するサイドフレームに、残耕土を掘り起こして耕耘爪の耕耘範囲内に案内する排土板を固定してなるコンクリート畦畔際残耕処理装置（特許文献１）、支承ブラケットの軸受部の外側へ、縦方向にして走行方向の姿勢に、着脱自在にボルト締め固定する縦刃板からなり、水平方向に突出する上部水平刃と下部水平刃から回転鋤刃側へ押し出す耕土寄せ板を傾斜状に備えた構造の畦際耕起鋤（特許文献２）、ロータリ機構のサイドに固定した水平方向の取付けパイプの先端に垂直方向のメインパイプを取付け、メインパイプの下端にスキ部と、スキ部の先端下部に円板状のディスクと、メインパイプの途中に垂直ローラ及び水平ローラを各々取付け、畦畔の上面と側面を垂直ローラと水平ローラで倣いながらトラクタで畦畔際を耕耘する装置（特許文献３）、コンクリート畦畔側への接近動を規制する移動規制板とコンクリート畦畔際の残耕土を耕耘する縦耕耘爪及び横耕耘爪が設けられ、これらの耕耘爪は基部に対して先端側が外側に偏心し、移動規制板の外側端面、縦耕耘爪及び横耕耘爪の各外側面及び畦立て機の右側面は略同一平面上に配置された畦立て作業装置（特許文献４）がある。
【先行技術文献】
【特許文献】
【０００４】
【特許文献１】実開平６−７４０１号
【特許文献２】特開平８−９７０１号
【特許文献３】登録実用新案公報  第３０１２９３７号
【特許文献４】特開２００６−２３０２７６号
【０００５】
さて上記各先行技術において、特許文献１ないし３は、トラクタの車体後部に取り付けたロータリ機構の外側にコンクリート畦際の土を耕すための装置を付けるものであり、コンクリート畦際の土を耕すための単独の装置ではない。各装置は、ロータリ機構の外側に取り付ける必要があり、その手間がかかり、さらにロータリ機構がコンクリート製の畦と接触し破損する可能性がある。また、特許文献４は、耕運機のロータリ軸に移動規制板とコンクリート畦畔際の残耕土を耕耘する縦耕耘爪及び横耕耘爪を取り付けるものであり、前記と同様に耕運機がコンクリート畦に接触し破損する恐れもある。
【考案の概要】
【考案が解決しようとする課題】
【０００６】
会社勤務のかたわら、農業を営む本考案者は、短時間で農作業を行う必要があり、コンクリート畦際の土の処理には手間がかかり、解決したい課題であった。しかし、回転鋤刃のロータリ機構の外側にコンクリート畦際の土を耕すための装置をつけると、ロータリ機構までもコンクリート畦と接触し破損する恐れもあり、破損した場合には、大きな出費となることもある。そこで、単独でコンクリート畦際の土を耕す簡単な農機具について検討してきたが、試行錯誤の末に、以下のようなコンクリート畦際残土処理農具を考案した。
【課題を解決するための手段】
【０００７】
すなわち、本考案は、単独でトラクタの車体後部に取り付けることができ、トラクタの走行によりコンクリート畦際の土を耕すことができ、構造が簡単なコンクリート畦際残土処理農具を提供するものである。
【０００８】
先ず、第１考案は、トラクタの車体後部に取り付け、トラクタの取付支持部で上下運動ができるコンクリート畦際の土を耕すコンクリート畦際残土処理農具であって、四角形の枠を構成する鉄骨の対角線上に枠用バネを付け、各枠の交点を回転自在とし、枠用バネにより、略平行四辺形とした鉄骨の前枠をトラクタの進行方向に対し略垂直にトラクタに取り付け、相対する後枠の左右いずれかの端の外側下方に、耕土鋤を付け、トラクタの取付支持部を下げて、耕土鋤を土中に入れ、トラクタの走行による土の耕土鋤への抵抗力で、四角形の枠を構成する鉄骨の対角線上のバネが伸びて、略長方形となり、トラクタ車幅より外側に耕土鋤が突出し、コンクリート畦際の土を耕し、トラクタの取付支持部を上げて、枠用バネにより略平行四辺形の枠となってトラクタの回転運動を容易にするコンクリート畦際残土処理農具である。
【０００９】
図１に第１考案の原理図を示す。四角形枠２の各枠の交点１２は、回転自在となっている。枠用バネ２１により四角形枠２は平行四辺形あるいは菱形となっている。この四角形枠２の後枠２６の右端下方には耕土鋤４が付けられている。この四角枠２が、土３１に入り、トラクタの走行により前方に進むと、土３１と耕土鋤４の抵抗力により、枠用バネ２１が伸びて各枠の交点の角度は略直角になる。そのために、トラクタ車幅より外側に耕土鋤４が突出し、耕土鋤４はコンクリート壁３に近づき、コンクリート畦際の土３１を耕すことができる。
【００１０】
コンクリート畦際の土を耕すものとして耕土鋤としたが、これは必ずしも櫛状のものである必要はなく、平面状の鉄板であってもよい。
【００１１】
続いて、第２考案は、トラクタの車体後部に取り付け、トラクタの取付支持部で上下運動ができるコンクリート畦際の土を耕すコンクリート畦際残土処理農具であって、四角形の枠を構成する鉄骨に支柱を立てて、同じ四角形の枠の鉄骨をその上に平行に重ね、上部の四角形の前枠又は上部と下部の四角形の前枠をトラクタに取り付け、下部の四角形の後枠の左右いずれかの端の外側下方に、耕土鋤を付けた第１考案のコンクリート畦際残土処理農具である。
【００１２】
第１考案の１重の四角形枠だけでは、トラクタ後部に取り付けてコンクリート畦際を耕しながら、走行するには、強度が不足する場合もある。そこで、四角形枠を２重としたものである。
図２に第２考案の原理図を示す。図１と重複する符号は、略省略してある。
支柱２５は、同じ長さとし、上部の四角形枠２６と下部の四角枠２７とを平行にし、枠用バネ２１や耕土鋤４と土３１の抵抗により上下四角形枠２６，２７が円滑に動くようにしている。
【００１３】
図２では、枠用バネ２１を下部の四角形枠２７に付けているが、上下部四角形枠２６，２７の両方に付ける、あるいは上部の四角枠２６に付けることもできる。
【００１４】
図１及び図２では、枠用バネ２１を前枠２３の左から後枠２４の右に張り、耕土鋤４を後枠２４の右下に付けている。しかし、これとは対照に枠用バネ２１を張ることにより、耕土鋤４を後枠２４の左下に付けることもできる。
【００１５】
続いて、第３考案は、耕土鋤に移動制御ローラを付設した第１考案又は第２考案のいずれかのコンクリート畦際残土処理農具である。
【００１６】
第１考案あるいは第２考案において、耕土鋤刃はトラクタの走行により耕土鋤は、コンクリート壁に近づき、コンクリート畦際の土を耕すことができる。しかし、コンクリート壁と耕土鋤が接触し、どちらも破損する恐れがある。そこで、耕土鋤あるいはこれらを構成する部品を保護するため、コンクリート壁に沿って移動し、コンクリート壁と耕土鋤等の間隔を常においておくことが必要である。そこで、耕土鋤に移動制御ローラを付設して、移動制御ローラをコンクリート壁に接触させ、コンクリート壁と間隔をおきながら、耕土鋤をトラクタ走行に沿って移動するものである。移動制御ローラについては、実施例で示す。
【００１７】
続いて、第４考案は、耕土鋤の高さを調整する高さ調整冶具を付けた第３考案のコンクリート畦際残土処理農具である。
【００１８】
本考案のコンクリート畦際残土処理農具は、トラクタの車体後部に取り付けられ、トラクタの取付支持部で、上下移動を行い、耕土鋤を土中に入れ、また土中から上げることができる。しかし、土の状態によっては、耕土鋤と四角形枠との高さの調整が必要な場合がある。そこで、耕土鋤の高さを調整する高さ調整冶具を付けることにしたものである。
【考案の効果】
【００１９】
第１考案では、土と耕土鋤の抵抗力を利用して、簡単な構造で、耕土鋤をコンクリート壁に近づけ、コンクリート畦際の土を容易に耕すことができ、第２考案では、第１考案の農機具の構造をより強化したものである。第３考案では、耕土鋤がコンクリート壁に接触しないようにして、相互の破損を避けるものであり、第４考案は、耕土鋤の作業をより行いやすくするものである。
【図面の簡単な説明】
【００２０】
【図１】図１は、第１考案の原理図である。
【図２】図２は、第２考案の原理図である。
【図３】図３は、収納時と使用時の四角形枠の状態を示す平面図である。
【図４】図４は、第２考案の試作品である。
【図５】図５は、第２考案の試作品の耕土鋤が土に入り、トラクタの走行により前枠と後枠がやや移動した図である。
【図６】図６は、第２考案の試作品の耕土鋤が土に入り、トラクタの走行により、各交点が略直角になった図である。
【図７】図７は、移動制御ローラと耕土鋤等の試作品である。
【図８】図８は、高さ調整冶具の概略図である。
【図９】図９は、高さ調整冶具の試作品である。
【考案を実施するための形態】
【００２１】
本考案の実施例を以下に示す。
【実施例１】
【００２２】
図３は、収納時と使用時の四角形枠２の状態を示す平面図である。使用しない場合には、破線の状態で保管されている。四角形枠２は、略平行四辺形となっている。コンクリート畦際残土処理農具１は、トラクタとの接合具２６２でトラクタ７に取り付けられ、トラクタの取付支持部を下げて、耕土鋤４が土中に入り、トラクタ７を走行させると、土と耕土鋤４の抵抗力により、四角形枠２の枠用バネ２１が伸び、各枠の交点２２は略直角になり、四角形枠２は略長方形となり、耕土鋤４は、移動制御ローラ６とともに、トラクタ７の車幅より外側に出る。移動制御ローラ６がコンクリート壁３に接触しながら、トラクタ７の車幅より外側に出た耕土鋤４がコンクリート畦際の土を耕すことになる。
【００２３】
図４に、第２考案の試作品を示す。上下部の四角形枠は、各枠の交点２２が回転自在となっていて、枠用バネ２１により、上下部の四角形枠は平行四辺形となっている。使用しない場合にはこの形状で保管されている。上下四角形枠２６，２７は、支柱２５により連結されている。支柱２５と上下部四角形枠は、溶接により連結されているが、連結手段は問わない。上部の四角形の後枠右端と下部四角形の後枠２７１右端を連結する支柱には、高さ調整冶具５が付けられ、その下端に耕土鋤４が付けられ、耕土鋤４の右側上部には移動制御ローラ６が付設されている。上部四角形の前枠２６１中央には、コンクリート畦際残土処理農具１をトラクタに取り付ける接合具２６２があり、トラクタ７とつながれている。
【００２４】
図５は、第２考案の試作品の耕土鋤４が土３１に入り、トラクタ７走行により、耕土鋤４と土３１の抵抗力により、四角形枠の枠用バネ２１が伸び、上下部の四角形枠２６，２７の前枠２６１、２７２と後枠２６３，２７１がやや移動したときの図である。
【００２５】
図５は、第２考案の試作品耕土鋤４が土に入り、トラクタ７の走行により、耕土鋤４と土３１の抵抗力により、枠用バネ２１が伸び、各枠の交点が略直角になり、上部の四角形枠２６、下部の四角形枠２７略長方形となった図である。耕土鋤４は、トラクタ７の車幅より外側に出ている。
【実施例２】
【００２６】
図７は、移動制御ローラ６と耕土鋤４等の試作品である。移動制御ローラ６には、コンクリート壁に沿って円滑に移動するための移動制御ローラ用の車輪６１が両端に付いている。また、移動制御ローラ用のバネ６２と移動制御ローラ用のワイヤ６３により、移動制御ローラ６はコンクリート壁に常に接することができる。移動制御ローラ６の下には、耕土鋤４が付けられ、また高さ調整冶具５が支柱２５に付けられている。
【００２７】
図８は高さ調整冶具５の概略図である。止めピン５２を外し、高さ調整用カラー５１の取り外しあるいは取り換えにより、耕土鋤４の高さを調整する。なお、高さ調整冶具５の試作品を図９に示す。
【産業上の利用可能性】
【００２８】
本考案のコンクリート畦際の土を耕すコンクリート畦際残土処理農具は構造が簡単であり、製造費が安く、耕土鋤と土との抵抗力よりコンクリート壁に沿って耕土鋤を移動させ、容易にコンクリート畦際の土を耕すことができるため、大いに利用が期待できる。
【符号の説明】
【００２９】
１ コンクリート畦際残土処理農具
２  四角形枠  ２１  枠用バネ  ２２  各枠の交点  ２３  前枠  ２４  後枠２５  支柱  ２６  上部位の四角形枠  ２６１  上部の四角形枠の前枠  
２６２  トラクタとの接合具  ２６３  上部の四角形枠の後枠  
２７  下部の四角形枠  ２７２  下部の四角形枠の前枠
３  コンクリート壁  ３1 土
４  耕土鋤
５  高さ調整冶具  ５１  高さ調整用カラー  ５２  止めピン
６  移動制御ローラ  ６１移動制御ローラ用の車輪  
６２移動制御ローラ用のバネ  ６３  移動制御ローラ用のワイヤ
７  トラクタ
【図１】
0003160996.tif 000003
【図２】
0003160996.tif 000004
【図３】
0003160996.tif 000005
【図４】
0003160996.tif 000006
【図５】
0003160996.tif 000007
【図６】
0003160996.tif 000008
【図７】
0003160996.tif 000009
【図８】
0003160996.tif 000010
【図９】
0003160996.tif 000011